Podtech/llm-jp-corpus-v4-ja_patent huggingface dataset:
【手続補正書】
【提出日】平成18年6月6日(2006.6.6)
【手続補正１】
【補正対象書類名】明細書
【補正対象項目名】発明の名称
【補正方法】変更
【補正の内容】
【発明の名称】流動体包装容器、充填体及び充填体の製造方法
【手続補正２】
【補正対象書類名】明細書
【補正対象項目名】特許請求の範囲
【補正方法】変更
【補正の内容】
【特許請求の範囲】
【請求項１】
環状に繋いだ少なくとも４つの側面を有しかつ全ての側面または一部の側面に折り線を介して天面及び底面のうち少なくとも一方を構成するためのフラップを連接してなる紙製の外装箱と、前記外装箱の少なくとも一側面に貼付してなるプラスチック製の内装袋と、前記内装袋に充填された流動体とを備えた充填体の製造方法において、内装袋に流動体を充填し、内装袋の充填圧により外装箱を箱起しして、しかる後に内装袋を閉栓し、前記フラップを折り線で折り外装箱を組み立てることを特徴とする充填体の製造方法。
【請求項２】
充填体は、前記内装袋の開口に固定される再封止機構を有する閉栓部材をさらに備え、内装袋に閉栓部材を介して流動体を充填し、内装袋の充填圧により外装箱を箱起しして、しかる後に内装袋を閉栓部材で閉栓し、前記フラップを折り線で折り外装箱を組み立てることを特徴とする請求項１記載の充填体の製造方法。
【請求項３】
環状に繋いだ少なくとも４つの側面を有しかつ全ての側面または一部の側面に折り線を介して天面及び底面のうち少なくとも一方を構成するためのフラップを連接してなる紙製の外装箱と、前記外装箱の少なくとも一側面に貼付してなるプラスチック製の内装袋と、前記内装袋に充填された流動体と、内装袋への流動体の充填圧により、外装箱が箱起しされた状態で充填圧を保持しつつ、内装袋を閉栓する閉栓手段とを備えることを特徴とする充填体。
【請求項４】
閉栓手段は、前記内装袋の開口に固定される再封止機構を有する閉栓部材であることを特徴とする請求項３記載の充填体。
【請求項５】
環状に繋いだ少なくとも４つの側面を有しかつ全ての側面または一部の側面に折り線を介して天面及び底面のうち少なくとも一方を構成するためのフラップを連接してなる紙製の外装箱と、前記外装箱の少なくとも一側面に貼付してなるプラスチック製の内装袋と、前記内装袋の開口に固定され、内装袋への流動体の充填圧により、外装箱が箱起しされた状態で充填圧を保持する再封止機構を有する閉栓部材とを備えることを特徴とする流動体包装容器。
【手続補正３】
【補正対象書類名】明細書
【補正対象項目名】０００６
【補正方法】変更
【補正の内容】
【０００６】
【課題を解決するための手段】
第１の課題解決手段に係る発明は、環状に繋いだ少なくとも４つの側面を有しかつ全ての側面または一部の側面に折り線を介して天面及び底面のうち少なくとも一方を構成するためのフラップを連接してなる紙製の外装箱と、外装箱の少なくとも一側面に貼付してなるプラスチック製の内装袋と、内装袋に充填された流動体とを備えた充填体の製造方法において、内装袋に流動体を充填し、内装袋の充填圧により外装箱を箱起しして、しかる後に内装袋を閉栓し、フラップを折り線で折り外装箱を組み立てることを特徴とする充填体の製造方法を提供する。
【手続補正４】
【補正対象書類名】明細書
【補正対象項目名】０００８
【補正方法】変更
【補正の内容】
【０００８】
第３の課題解決手段に係る発明は、環状に繋いだ少なくとも４つの側面を有しかつ全ての側面または一部の側面に折り線を介して天面及び底面のうち少なくとも一方を構成するためのフラップを連接してなる紙製の外装箱と、外装箱の少なくとも一側面に貼付してなるプラスチック製の内装袋と、内装袋に充填された流動体と、内装袋への流動体の充填圧により、外装箱が箱起しされた状態で充填圧を保持しつつ、内装袋を閉栓する閉栓手段とを備えることを特徴とする充填体を提供する。
【手続補正５】
【補正対象書類名】明細書
【補正対象項目名】００１０
【補正方法】変更
【補正の内容】
【００１０】
第５の課題解決手段に係る発明は、環状に繋いだ少なくとも４つの側面を有しかつ全ての側面または一部の側面に折り線を介して天面及び底面のうち少なくとも一方を構成するためのフラップを連接してなる紙製の外装箱と、外装箱の少なくとも一側面に貼付してなるプラスチック製の内装袋と、内装袋の開口に固定され、内装袋への流動体の充填圧により、外装箱が箱起しされた状態で充填圧を保持する再封止機構を有する閉栓部材とを備えることを特徴とする流動体包装容器を提供する。
【手続補正６】
【補正対象書類名】明細書
【補正対象項目名】００３４
【補正方法】変更
【補正の内容】
【００３４】
図１０は雌部材６０の導通路６１に雄部材８０を挿入した状態の図である。閉栓部材３の雌部材６０は、内装袋２の開口部のシール部２１に固定された開口部材９０に液密状に嵌合しており、雌部材６０の開口部６２には再封止機能を持たせるために、逆止弁７０が装着されている。
【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  
‐  互いにヒンジ接続される２つの腕部（３，６）であって、その対向面が第一のヘアスタイリング用間隙（９）を形成するために実質的に相補的な外側形状を有する腕部（３，６）と、
‐  風流（Ｓ）を、ヘアケア部品（１）の当該両腕部（３，６）の少なくとも一方の内部に誘導するための少なくとも１つの流路と、
‐  少なくとも一方の腕部（３，６）において、上記少なくとも１つの流路と連通し、上記第一のヘアスタイリング用間隙（９）に向けて開口する風抜け穴（Ｌ）と、
‐  当該風抜け穴（Ｌ）を有する少なくとも１つの腕部（３）の湾曲した外側表面であって、当該湾曲面には、当該表面に相補的な湾曲部を有し、当該腕部（３）に対して回動可能に軸支され、当該腕部（３）の長手方向に延びているヘアスタイリングフィンガー（１０）が附属しており、その結果、当該腕部（３）と当該ヘアスタイリングフィンガー（１０）との間に、第二のヘアスタイリング用間隙（１３）が形成される湾曲した外側表面と、
によって特徴付けられている、ヘアケア部品。
【請求項２】  上記ヘアケア部品（１）の腕部（３，６）の対向する表面は、ほぼ平坦であることを特徴とする請求項１に記載の部品。
【請求項３】  一方の腕部（３）は、他方の腕部（６）の方を向く表面に、櫛部（１９）の基部を収容するための溝部（１７）を具備し、他方の腕部（６）の相補的表面は、当該櫛部の歯部を収容するための溝部（１８）を具備することを特徴とする請求項２に記載の部品。
【請求項４】  上記ヘアケア部品（１）の一方の腕部（３）には、風流を受け入れるための環状接続片（２）が結合し、腕部（３）と接続片（２）とを含む当該ユニットに、ヘアスタイリングフィンガー（１０）と他方の腕部（６）が回動可能にヒンジ接続されていることを特徴とする請求項１ないし３のいずれか１項に記載の部品。
【請求項５】  上記接続片（２）と腕部（３）にヒンジ接続されている上記腕部（６）には、他方の腕部（５）のヘアスタイリングフィンガー（１０）が配置されている側に延びる、弓状の作動レバー（８）が附属していることを特徴とする請求項４に記載の部品。
【請求項６】  第一のヘアスタイリング用間隙（９）を閉止するために、上記作動レバー（８）をロックすることが可能なことを特徴とする請求項５に記載の部品。
【請求項７】  上記ヘアスタイリングフィンガー（１０）には、スプリング要素の力に対して第二のヘアスタイリング用間隙（１３）を開くための作動レバー（１２）が附属していることを特徴とする請求項１ないし６のいずれか１項に記載の部品。
【請求項８】  ヘアケア部品（１）には、上記２つの腕部（３，６）上に配置され、剛毛（Ｂ）または剛毛の房の間に配置された風抜き孔を有する附属ブラシ（１４）が附属していることを特徴とする請求項１ないし７のいずれか１項に記載の部品。
【請求項９】  附属ブラシ（１４）が、開口した円筒状の環状体（１５）を具備し、該環状体からは剛毛（Ｂ）又は剛毛の房が外側に突出し、環状体（１５）の内部は、２つの閉じた腕部（３，６）と閉じたヘアスタイリングフィンガー（１０）とを収容するように形成されていることを特徴とする請求項８に記載の部品。
【請求項１０】  開口した環状体（１５）が弾性的な特性を有する材料からなり、それにより、所定位置に附属ブラシ（１４）を取り付けて器具を利用するために、上記附属ブラシ（１４）が上記２つの閉じられた腕部（３，６）と上記ヘアスタイリングフィンガー（１０）とに確実に装着されることを特徴とする請求項９項に記載の部品。
【請求項１１】  上記附属ブラシは、閉じた円筒状の環状体を具備し、環状体から剛毛または剛毛の房が外側に突出し、環状体の内部が、２つの閉じた腕部と閉じたヘアスタイリングフィンガーとを収容するように形成されていることを特徴とする請求項８ないし１０のいずれか１項に記載の部品。
【請求項１２】  温風ドライヤの附属品として形成されていることを特徴とする請求項１ないし１１のいずれか１項に記載の部品。
【請求項１３】  温風ヘアスタイリング器具を形成するために、温風ドライヤに適用されることを特徴とする請求項１ないし１２のいずれか１項に記載の部品。
【手続補正書】
【提出日】平成18年2月28日(2006.2.28)
【手続補正１】
【補正対象書類名】明細書
【補正対象項目名】請求項４
【補正方法】変更
【補正の内容】
【請求項４】
前記管が第一端を含み、前記第一端が、皮膚を穿刺するための尖った先端部の形状を有している、請求項１記載の穿刺針。
【手続補正２】
【補正対象書類名】明細書
【補正対象項目名】請求項１８
【補正方法】変更
【補正の内容】
【請求項１８】
穿刺針一体型光学フォーマットを製造する方法であって、
石英ガラスの方形毛管を形成する工程と、
前記管の第一端を尖った先端部に形成する工程と、
前記管の第二端にハウジングを固着する工程と
を含む方法。
【手続補正書】
【提出日】平成18年5月24日(2006.5.24)
【手続補正１】
【補正対象書類名】明細書
【補正対象項目名】０００２
【補正方法】変更
【補正の内容】
【０００２】
【発明が解決しようとする課題】
少なくとも一つの公知のＣＴイメージング・システムは、ファン・ビーム方式の螺旋アルゴリズムを用いて画像を形成するが、画像はかなりの雑音不均一性及び増大した雑音レベルを含む場合がある。雑音不均一性は主として、螺旋加重とファン・ビーム逆投影の加重関数との間の相互作用によって生ずる。走査視野内での雑音変動は、均一な被走査物体でも二倍を超えて変化し得る。雑音不均一性は、イソセンタから遠ざかるに従って増大し、また三次元再編成後の画像にベネチアン・ブラインド又はゼブラ等の画像アーティファクトを生ずる可能性がある。
【特許文献１】米国特許第６３２４２４１号
【手続補正書】
【提出日】平成18年5月10日(2006.5.10)
【手続補正１】
【補正対象書類名】明細書
【補正対象項目名】０００３
【補正方法】変更
【補正の内容】
【０００３】
従って、例えばＳＳＦＰによって得られる必要なＴ２＊／Ｔ１コントラスト及び高信号対ノイズ比を保持しながら、これらの黒い線の生成を防止するために、静磁場の不均等に影響されない定常状態自由歳差運動パルス・シーケンスによるＭＲＩのための方法が要望されている。
【特許文献１】米国特許第５５５７２０２号
【手続補正書】
【提出日】平成18年5月10日(2006.5.10)
【手続補正１】
【補正対象書類名】明細書
【補正対象項目名】０００５
【補正方法】変更
【補正の内容】
【０００５】
放射線画像による診断は従来視覚的に行なう作業である。この作業の主観的な性質のため、診断には読影者間で、また同一読影者でもばらつきがある。加えて、関心のある病状に下方構造及び上方構造が関連しているため、視覚的評価が難しい場合がある。胸部において微細な肋骨の骨折、石灰化及び転移性骨病変（転移）は標準的な胸部Ｘ線では検出困難である。さらにもう一つの例として、現状では胸部放射線画像で肺結節の５％〜２５％しか検出されていないが、遡及的に見ると３５％〜５０％が視覚化可能である。
【特許文献１】欧州特許公開第１００５８３２Ａ号公報
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
ＭＲ画像を再構成する方法であって、
ａ）複数の未補正のｋ空間データ点を含む入力アレイを受け取る工程と、
ｂ）加算アレイの内容を消去する工程と、
ｃ）前記入力アレイ内の未補正のｋ空間データ点について、
ｃ１）前記未補正のｋ空間データ点に関連したカーネルを求める工程、
ｃ２）前記未補正のｋ空間データ点、前記入力アレイ及び前記カーネルに応答して、補正済みデータを生成する工程であって、ｃ２−１）勾配非直線性について前記未補正のｋ空間データ点を補正し、該補正をｋ空間内で実行する工程、及びｃ２−２）テーブル（１６３）の移動について前記未補正のｋ空間データ点を補正する工程を含む、当該補正済みデータを生成する工程、並びに
ｃ３）前記補正済みデータを前記加算アレイに加える工程、
を含む工程を実行する工程と、
ｄ）前記加算アレイに応答して画像を再構成する工程と、
を有している方法。
【請求項２】
勾配非直線性について前記未補正のｋ空間データ点を補正する前記工程は、前記未補正のｋ空間データ点を、前記未補正のｋ空間データ点に応答して重み付けされ位相調整された前記カーネルに置き換える工程を含んでいる、請求項１記載の方法。
【請求項３】
テーブル（１６３）の移動について前記未補正のｋ空間データ点を補正する前記工程は、感度について補正する工程と、運動について補正する工程とを含んでいる、請求項１記載の方法。
【請求項４】
前記入力アレイは複数の部分アレイを含んでおり、該複数の部分アレイは、これらの各々の部分アレイに対応する複数の部分画像を形成するように再構成されており、前記複数の部分画像は組み合わされて完全な一枚の画像を形成する、請求項１記載の方法。
【請求項５】
再構成する前記工程は、前記加算アレイに対してフーリエ変換を適用する工程を含んでいる、請求項１記載の方法。
【請求項６】
テーブル（１６３）移動型ＭＲ画像を再構成する方法であって、
複数の未補正のｋ空間データ点を含む入力アレイを受け取る工程と、
前記複数の未補正のｋ空間データ点に応答してサンプルの画像を再構成する工程とを有し、
前記再構成された画像が、
【数１】
2004000614.tif 000001
【外１】
2004000614.tif 000002
ことを特徴とする方法。
【請求項７】
少なくとも１つの勾配コイル（１３９）、少なくとも１つのＲＦコイル（１５２）、移動テーブル（１６３）、及び複数の未補正のｋ空間データ点を含む入力アレイを備えているＭＲＩシステムと、
前記ＭＲＩシステムと連絡するコンピュータ・システム（１０７）であって、下記の工程ａ）乃至ｄ）を含む方法を実行するアプリケーション・ソフトウエアを含んでいるコンピュータ・システム（１０７）とを有している、ＭＲ画像を再構成するシステム。
ａ）前記ＭＲＩシステムから前記入力アレイを受け取る工程、
ｂ）加算アレイの内容を消去する工程、
ｃ）前記入力アレイ内の未補正のｋ空間データ点について、
ｃ１）前記未補正のｋ空間データ点に関連したカーネルを求める工程と、
ｃ２）前記未補正のｋ空間データ点、前記入力アレイ及び前記カーネルに応答して、補正済みデータを生成する工程であって、ｃ２−１）勾配非直線性について前記未補正のｋ空間データ点を補正し、該補正をｋ空間内で実行する工程、及びｃ２−２）テーブル（１６３）の移動について前記未補正のｋ空間データ点を補正する工程を含む、当該補正済みデータを生成する工程と、
ｃ３）前記補正済みデータを前記加算アレイに加える工程と、
を含む工程を実行する工程、並びに
ｄ）前記加算アレイに応答して画像を再構成する工程。
【請求項８】
前記ＲＦコイル（１５２）は勾配に対し且つ被検体に対して移動する、請求項７記載のシステム。
【請求項９】
下記の工程ａ）乃至ｄ）を含む方法を実行するアプリケーション・ソフトウエアを含んでいるコンピュータ・システム（１０７）を有する、ＭＲ画像を再構成するシステム。
ａ）複数の未補正のｋ空間データ点を含む入力アレイを受け取る工程と、
ｂ）加算アレイの内容を消去する工程、
ｃ）前記入力アレイ内の未補正のｋ空間データ点について、
ｃ１）前記未補正のｋ空間データ点に関連したカーネルを求める工程と、
ｃ２）前記未補正のｋ空間データ点、前記入力アレイ及び前記カーネルに応答して、補正済みデータを生成する工程であって、ｃ２−１）勾配非直線性について前記未補正のｋ空間データ点を補正し、該補正をｋ空間内で実行する工程、及びｃ２−２）テーブル（１６３）の移動について前記未補正のｋ空間データ点を補正する工程を含む、当該補正済みデータを生成する工程と、
ｃ３）前記補正済みデータを前記加算アレイに加える工程と、
を含む工程を実行する工程、並びに
ｄ）前記加算アレイに応答して画像を再構成する工程。
【請求項１０】
処理回路によって読み出し可能であって、該処理回路によって下記の工程ａ）乃至ｄ）を実行するための命令を記憶している記憶媒体を有している、ＭＲ画像を再構成するためのコンピュータ・プログラム製品。
ａ）複数の未補正のｋ空間データ点を含む入力アレイを受け取る工程と、
ｂ）加算アレイの内容を消去する工程、
ｃ）前記入力アレイ内の未補正のｋ空間データ点について、
ｃ１）前記未補正のｋ空間データ点に関連したカーネルを求める工程と、
ｃ２）前記未補正のｋ空間データ点、前記入力アレイ及び前記カーネルに応答して、補正済みデータを生成する工程であって、ｃ２−１）勾配非直線性について前記未補正のｋ空間データ点を補正し、該補正をｋ空間内で実行する工程、及びｃ２−２）テーブル（１６３）の移動について前記未補正のｋ空間データ点を補正する工程を含む、当該補正済みデータを生成する工程と、
ｃ３）前記補正済みデータを前記加算アレイに加える工程と、
を含む工程を実行する工程、並びに
ｄ）前記加算アレイに応答して画像を再構成する工程。
【手続補正書】
【提出日】平成18年5月16日(2006.5.16)
【手続補正１】
【補正対象書類名】明細書
【補正対象項目名】０００４
【補正方法】変更
【補正の内容】
【０００４】
従って、組み込み医療システムや分散医療システムなどのマルチコンポーネントシステムの動的コンフィグレーションを容易にする技術が必要である。また、実行時にシステムを変更したり、実行することを容易にする柔軟なコンフィグレーションシステムが必要である。
【特許文献１】米国特許公開第２００２／００５７８４９号
【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】
被検体を移動可能な寝台上に位置決めするステップ（２０２）と、
初期寝台移動制御データ及びスキャン・パラメータを入力するステップ（２０４）と、
入力された前記寝台移動制御データに基づいて前記移動可能寝台を自動的に移動するステップ（２０６）と、
入力された前記スキャン・パラメータに基づいて前記移動可能寝台が移動している間にＭＲデータを収集するステップ（２０６）と、
寝台を自動的に移動させＭＲデータを収集する（２０６）間に前記初期寝台移動制御データと前記スキャン・パラメータの少なくとも一方の修正を可能にするステップ（２１０）と、
を含むＭＲ画像収集方法。
【請求項２】
移動可能寝台の速さ、寝台移動方向及びＭＲデータ収集用パルスシーケンスのうちの少なくとも１つの制御及び調整を含むような寝台移動及びスキャン・パラメータに関する対話式制御（２１０）を提供するステップをさらに含む請求項１に記載の方法。
【請求項３】
ＭＲデータを収集する前記ステップ（２０６）が、移動可能寝台が並進している間に多重面高速イメージング・パルスシーケンスを用いて連続的にスキャンする能力を含む、請求項１に記載の方法。
【請求項４】
関心対象の異常を特定し、移動可能寝台（１０２）を反転させかつ高空間分解能画像データを収集した後に、スキャンを中断する能力を提供するステップ（２１０）をさらに含む請求項１に記載の方法。
【請求項５】
高感度の全身スクリーニング能力を有するＭＲＩ装置であって、
偏向磁場（５６）を印加するようにマグネット（５４）のボアの周りに位置決めした複数の傾斜コイル（５０）と、ＭＲ画像を収集させるＲＦ信号をＲＦコイル・アセンブリに送信するようにパルスモジュール（３８）によって制御を受けているＲＦ送受信器システム（３２）及びＲＦスイッチと、を有する磁気共鳴イメージング（ＭＲＩ）システム（１０）と、
コンピュータ制御下（１０２）でマグネット（５４）の前記ボア内を移動可能な寝台と、
コンピュータであって、
初期スキャン・パラメータ及び寝台並進パラメータを受け取ること（２０４）、
寝台を並進させること（２０６）、
寝台が並進している間にＭＲデータを収集すること（２０６）、
寝台並進中のユーザ入力受け取りを可能にし、かつ該受け取りがあった場合に該ユーザ入力に応じて並進を修正すること（２１０）、
スキャン・パラメータに関するユーザ入力の受け取りを可能にし、かつ該受け取りがあった場合に該ユーザ入力に応じてＭＲデータ収集を修正すること（２１０）、
を実行するようにプログラムしたコンピュータと、
を備えるＭＲＩ装置。
【請求項６】
寝台並進中にＭＲデータが連続して収集されている、請求項５に記載のＭＲＩ装置。
【請求項７】
前記コンピュータ（３２）がさらに、画像傾斜（ｉｍａｇｅ  ｏｂｌｉｑｕｉｔｙ）と、寝台速さと、寝台方向と、反転時間、フリップ角及びシーケンス・タイプなどのパルスシーケンス・パラメータとのうち少なくとも１つに対するリアルタイムでの操作を可能にする（２１２）ようにプログラムされている、請求項５に記載のＭＲＩ装置。
【請求項８】
前記コンピュータ（３２）がさらに、送信器利得、受信器利得及びシム調整をユーザによるオンデマンドで変更するようにプログラムされている、請求項５に記載のＭＲＩ装置。
【請求項９】
コンピュータで実行させた際に該コンピュータに対して、ＭＲスキャナ（１０）を通過するように患者寝台（１０２）を移動させると同時にＭＲデータを収集（４４）すること、
ユーザ入力を可能（４０）とし、かつ該ユーザ入力に応じて患者寝台速さ、方向及びスキャン・パラメータのうちの少なくとも１つを操作すること（２１０）、
を行わせる命令を備えたコンピュータ・プログラムをその上に記憶しているコンピュータ読み取り可能記憶媒体（２８、３０）。
【請求項１０】
患者の腫瘍を特定する方法であって、
移動可能な寝台（１０２）上に患者（１００）を配置するステップと、
移動可能寝台を並進させると共に、患者（１００）が磁場を通過するのに伴ってＭＲデータを収集（４４）するステップと、
前記移動可能寝台（１０２）が並進するのに伴って患者解剖構造のＭＲ画像を再構成するステップ（２０８）と、
前記ＭＲ画像を解析し、さらに検討を要する関心エリアを特定した場合には、該関心エリアが磁場内に来るように前記移動可能寝台を戻すと共にＭＲデータ収集パラメータをリアルタイムで修正するステップと、
前記関心エリアの追加的解析が可能となるようにより高分解能のＭＲデータと異なる面のＭＲデータのうちの一方を収集するステップと、
を含む方法。
【手続補正２】
【補正対象書類名】明細書
【補正対象項目名】０００６
【補正方法】変更
【補正の内容】
【０００６】
したがって、異常に対して高感度であると共に、連続移動寝台と、収集面、パルスシーケンス、寝台の速さ及び／または寝台移動方向を変更する能力とによって担当医に対して、腫瘍を示すような信号強調など異常領域を位置特定するような全身の迅速サーベイを可能にし、これにより異常に着目しかつその異常に対するより良好な特徴付けができるような高速技法が組み込まれるように方法及び装置を設計できると有利である。
【特許文献１】特開平０８−１７３３９６号公報
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
磁気共鳴イメージング（ＭＲＩ）システムで使用するための無線周波数（ＲＦ）検出器アレイ・アセンブリであって、
ＭＲＩシステムから無線周波数（ＲＦ）信号を同時収集する際に使用するために複数のＲＦ検出器素子を有した少なくとも１つのＲＦ検出器アレイ（４１０）と、
各検出器素子をその残りの検出器素子からデカップリングさせるために前記複数の検出器素子の各々に結合させたデカップリング用インタフェース（４２０）と、
を備える無線周波数（ＲＦ）検出器アレイ・アセンブリ。
【請求項２】
前記アレイがＭＲＩフェーズドアレイである、請求項１に記載のＲＦ検出器アレイ・アセンブリ。
【請求項３】
前記少なくとも１つのアレイは、
導電接地面と実質的に平行な複数の導電性構造（１０２）と、
複数のコンデンサであって、該コンデンサの少なくとも１つが各導電性構造の対応する電気的長さを調整するように各構造から前記接地面までシャントされているような複数のコンデンサと、を備えており、
それぞれの各構造、少なくとも１つの対応するコンデンサ及び接地面の組み合わせによって、選択した周波数で共振する共振子が形成されている、請求項１に記載のＲＦ検出器アレイ・アセンブリ。
【請求項４】
前記少なくとも１つの検出器アレイは、
誘電媒体内に形成した複数のマイクロストリップ（１０２）であって、該マイクロストリップの各々は、ストリップ長と該媒体の誘電率の両者を調整することによって選択した共鳴波長の４分の１波長の整数倍になるよう調整されているような複数のマイクロストリップ（１０２）と、
短絡回路、開回路及びリアクタンス性終端からなる群より選択されるような各マイクロストリップの終端部と、
を備えている、請求項１に記載のＲＦ検出器アレイ・アセンブリ。
【請求項５】
ＲＦ検出器素子の数がｎであると共に、前記デカップリング用インタフェースは２ｎポート式インタフェースを備え、さらに複数の送信／受信チャンネルに結合させている、請求項１に記載のＲＦ検出器アレイ・アセンブリ。
【請求項６】
前記デカップリング用インタフェースが分散構造デバイスの少なくとも１つを備えている、請求項１に記載のＲＦ検出器アレイ・アセンブリ。
【請求項７】
Ｚをｎ素子ＲＦ検出器アレイのｎポート式システムに関するｎ×ｎのインピーダンス行列、Ｚ’をデカップリング用インタフェースに関する２ｎ×２ｎのインピーダンス行列、Ｚ’１１、Ｚ’１２、Ｚ’２１及びＺ’２２をＺ’の４つのｎ×ｎ部分行列、Ｚｕをｎ素子ＲＦ検出器アレイのデカップリング型ｎポート式システムに関するｎ×ｎのインピーダンス行列であるとして、前記デカップリング用インタフェースが次のデカップリング方程式、
Ｚ’１１−Ｚ’１２（Ｚ’２２＋Ｚ）−１Ｚ’２１＝Ｚｕ
を満足している、請求項５に記載のＲＦ検出器アレイ・アセンブリ。
【請求項８】
前記ＲＦ検出器素子が複数の検出器素子、ワイヤ・ループ、パイプ、銅製ロッド、線及び導電性ストリップのうちの少なくとも１つを備えている、請求項１に記載のＲＦ検出器アレイ・アセンブリ。
【請求項９】
さらに、各ストリップとそれぞれの隣接ストリップとの間に相互接続された複数のコンデンサを備える請求項１に記載のＲＦ検出器アレイ。
【請求項１０】
磁気共鳴イメージング（ＭＲＩ）システムにおいて無線周波数（ＲＦ）検出器アレイ素子をデカップリングするための方法であって、
複数のＲＦ検出器素子を有するような少なくとも１つのＲＦ検出器アレイ（４１０）を設けるステップと、
各検出器素子をその残りの検出器素子からデカップリングさせるために前記複数の検出器素子の各々に結合させたデカップリング用インタフェース（４２０）を設けるステップと、
を含む方法。
【手続補正書】
【提出日】平成18年5月11日(2006.5.11)
【手続補正１】
【補正対象書類名】明細書
【補正対象項目名】０００８
【補正方法】変更
【補正の内容】
【０００８】
残念なことに、これらの低い信号の良好な可視化を可能にする周囲組織の背景が存在しない場合、ユーザがプローブを最適に位置決めできるようにする解剖学的構造のランドマークの可視化が制限されるので、ユーザが有効な撮像を実行するのが非常に困難になる。血管疾患の早期検出のような或る特定の用途では、血流撮像に関連した組織の背景撮像が制限されることは理想的ではない。より詳しく述べると、背景撮像の分解能が明瞭であった場合、背景画像は、走査している解剖学的構造についての基準を設定するために超音波技師によって用いることのできる基準画像を提供する。残念なことに、上述した従来のドップラーに基づかない血流撮像方法を用いると、殆ど又は全く背景組織の撮像が行われない。従って、システムのフレーム・レートを犠牲にすることなく、或いは血流の低振幅信号の撮像分解能を破壊させることなく、背景組織画像をユーザに提供することは望ましことであろう。
【特許文献１】米国特許第６３１２３８４号
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
ＭＲイメージングにおいて傾斜の非直線性を補正する方法であって、
傾斜非直線性の存在下で運動を伴うＭＲデータを収集するステップ（２０８）と、
収集したＭＲデータを画像領域に変換するステップ（２１４、２１６、２１８）と、
変換したＭＲデータにワープ補正を適用するステップ（２２０）と、
ＭＲデータ収集中に誘導された運動に関してワープ補正済みＭＲデータを補正するステップ（２２２、２２４）と、
を含む方法。
【請求項２】
ＭＲデータを変換する前記ステップが、一度につきＭＲデータの一部分を画像領域に変換するステップ（２１４、２１６、２１８）と、ＭＲデータの前記一部分にワープ補正を適用するステップ（２２０）と、ＭＲデータの前記一部分を運動に関して補正するステップ（２２４）と、運動補正済みＭＲデータを最終画像に積み上げるステップ（２２６）と、を含んでいる、請求項１に記載の方法。
【請求項３】
ＭＲデータを収集する前記ステップが、傾斜非直線性の変動の影響を受けているＭＲデータを収集するステップ（２０８）を含む、請求項１に記載の方法。
【請求項４】
寝台移動式ＭＲイメージングにおいて傾斜の非直線性を補正する方法であって、
マグネット（１０６）範囲内で移動可能寝台（１０２）上の患者（１００）を並進させるステップと、
傾斜非直線性の存在下でＭＲデータを収集するステップ（２０８）と、
ＭＲデータの一部分を画像に再構成させるステップ（２１４、２１６、２１８）と、
傾斜非直線性の存在下で収集したＭＲデータの前記一部分内の任意のワープを画像領域内にある間に補正するステップ（２２０）と、
寝台運動に関して補償されるように前記収集し再構成したＭＲデータをシフトさせるステップ（２２４）と、
を含む方法。
【請求項５】
処理すべきＭＲデータの量を決定するステップ（２２２）をさらに含むと共に、ＭＲデータをシフトさせる前記ステップが、処理されるＭＲデータの所与の量に対してＭＲデータを決まった量だけシフトさせるステップ（２２４）を含んでいる、請求項４に記載の方法。
【請求項６】
処理すべきＭＲデータ量を決定する前記ステップが、寝台速さ、動かした距離及び利用した収集シーケンスに基づいている、請求項５に記載の方法。
【請求項７】
移動する対象に関する傾斜非直線性補償を有するＭＲ装置であって、
偏向磁場を印加するようにマグネット（１０６）のボアの周りに位置決めした複数の傾斜コイル（５０）と、ＭＲ画像を収集させるＲＦ信号をＲＦコイル・アセンブリ（５６）に送信するようにパルスモジュール（３８）によって制御を受けているＲＦ送受信器システム（５８）及びＲＦスイッチ（６２）と、を有する磁気共鳴イメージング・システム（１０）と、
撮像対象（１００）をマグネット（１０６）の周りで並進させるための移動可能寝台（１０２）と、
コンピュータ（２０）であって、
マグネット（１０６）のボアを通過するように移動式寝台（１０２）を並進させること、
マグネット（１０６）のボアを通過するように移動可能寝台（１０２）を並進させながら移動式寝台（１０２）上に位置決めした撮像対象（１００）のＭＲデータを収集すること、
収集したＭＲデータを各点単位と各線単位のうちの一方によって処理すること、
寝台運動方向でＭＲデータに対して１−Ｄ  ＦＴを実行すること（２１４）、
前記ＭＲデータに対して少なくとも１回の追加的ＦＴを実行すること（２１８）、
前記ＭＲデータに対してＧｒａｄＷａｒｐ関数を適用すること（２２０）、
前記ＭＲデータによって画像空間を満たすこと（２２６）、
を実行するようにプログラムしたコンピュータ（２０）と、
を備えるＭＲ装置。
【請求項８】
前記コンピュータ（２０）はさらに、ＧｒａｄＷａｒｐ関数を適用（２２０）した後に、運動に関してＭＲデータを補正するようにプログラムされている、請求項７に記載の装置。
【請求項９】
寝台移動式ＭＲイメージングにおいて傾斜非直線性を補償するためのコンピュータ・プログラムであって、コンピュータに対して、
傾斜コイル（５０）に対して患者寝台（１０２）を移動するステップと、
複数のＭＲデータ点を収集するステップ（２０８）と、
求められる所望の画像次元に基づいたサイズの１つのマトリックスとなるように少なくとも１つのＭＲデータ点を配置するステップであって、該マトリックスの残りの部分はゼロを有するようにしたＭＲデータ点の配置ステップ（２１６）と、
前記求められる所望の画像次元に基づくタイプのＦＦＴを各ＭＲデータ点に対して実行するステップ（２１８）と、
前記ＭＲデータ点にＧｒａｄＷａｒｐ関数を適用するステップ（２２０）と、
患者寝台運動に関して各ＭＲデータ点を補正するステップ（２２２、２２４）と、
各ＭＲデータ点を加算して画像を構築させるステップ（２２６）と、
を実行させる命令の組を含んでいるコンピュータ・プログラム。
【請求項１０】
前記収集したＭＲデータは傾斜変動による影響を受けている、請求項９に記載のコンピュータ・プログラム。
【手続補正２】
【補正対象書類名】明細書
【補正対象項目名】０００８
【補正方法】変更
【補正の内容】
【０００８】
したがって、傾斜内に変動があるような傾斜非直線性に対する補償のための方法及び装置があることが望ましい。この具体的な実現形態の１つは寝台移動式イメージングである。
【特許文献１】特開平０８−１７３３９６号公報
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  テーブル部と、その向かって左右両側に設けた脚部と、この左右両側の脚部間に掛け渡した大腿部の受け部とから成り、この大腿部の受け部がベルト状体であることを特徴とする、大腿部の上に載せる簡易テーブル。
【請求項２】前記脚部がテーブル部の前後方向に２対設けられており、その各々に前記ベルト状体が掛け渡されており、その内の少なくとも一側のベルト状体に付いて長さの調節機構が設けられているものである、請求項１に記載の大腿部の上に載せる簡易テーブル。
【請求項３】  前記脚部が折り畳み可能に設けられている、請求項１に記載の大腿部の上に載せる簡易テーブル。
【請求項４】  前記脚部が前記テーブル部に対して着脱可能に設けられている、請求項１に記載の大腿部の上に載せる簡易テーブル。
【請求項５】  前記テーブル部が折り畳み可能に設けられている、請求項１に記載の大腿部の上に載せる簡易テーブル。
【請求項６】  前記テーブル部を広げた時にこの状態をロックし得るようなストッパーが前記テーブル部に設けられている、請求項５に記載の大腿部の上に載せる簡易テーブル。
【請求項７】  前記テーブル部がシート状体から成り、前後各々の側に付いて左右の脚部がＸ字状にクロスして互いに回動自在に設けられており、これ等の脚部間に前記シート状体が掛け渡されており、且つ前記左右の脚部の開き角を前記シート状体が張った状態で固定するための止め具が前記左右の脚部間に設けられている、請求項２に記載の大腿部の上に載せる簡易テーブル。
【手続補正２】
【補正対象書類名】明細書
【補正対象項目名】０００５
【補正方法】変更
【補正の内容】
【０００５】
【課題を解決するための手段及び作用】
上記課題はテーブル部と、その向かって左右両側に設けた脚部と、この左右両側の脚部間に掛け渡した大腿部の受け部とから成り、この大腿部の受け部がベルト状体であることを特徴とする、大腿部の上に載せる簡易テーブルとすることにより達成される。
【手続補正３】
【補正対象書類名】明細書
【補正対象項目名】０００９
【補正方法】変更
【補正の内容】
【０００９】  そこでこのような課題は、請求項１の発明に於いて、前記脚部がテーブル部の前後方向に２対設けられており、その各々に前記ベルト状体が掛渡されており、その内の少なくとも一側のベルト状体に付いて長さの調節機構が設けられているものとすることにより達成される。
【手続補正４】
【補正対象書類名】明細書
【補正対象項目名】００１０
【補正方法】変更
【補正の内容】
【００１０】左右１対の脚部が、テーブル部の前後方向に２対設けられており、また各々の左右１対の脚部間にベルト状体が掛け渡されている状態では、大腿部が水平でないとテーブル部が水平姿勢を取ることが出来ない。そこで大腿部が傾斜している方向の上側と成る側のベルト状体の張りを緩めることによってその側のテーブル部を低くすることが出来るため、この調節をうまくすることによりテーブル部に希望の水平姿勢を取らせることが出来るのである。更に両側のベルト状体の張り具合を調節することでテーブル部全体の高さを変えることが出来る。一例腕を下げて肘を曲げ水平姿勢を取らせた位の高さにテーブル部の位置を合わせることは好ましいことである。
【手続補正５】
【補正対象書類名】明細書
【補正対象項目名】００１６
【補正方法】変更
【補正の内容】
【００１６】  次に、請求項２の発明に於いて、前記テーブル部がシート状体から成り、前後各々の側に付いて左右の脚部がＸ字状にクロスして互いに回動自在に設けられており、これ等の脚部間に前記シート状体が掛け渡されており、且つ前記左右の脚部の開き角を前記シート状体が張った状態で固定するための止め具が前記左右の脚部間に設けられているものとすることが出来る。
【手続補正６】
【補正対象書類名】明細書
【補正対象項目名】００１８
【補正方法】変更
【補正の内容】
【００１８】  なおこの発明では前記テーブル部の素材の選択は任意であって、木材やプラスティック等を自由に利用することが出来る。請求項７の発明のようにシート状体を用いる場合では、シート状態に布や皮やプラスティックシート等が任意に採用可能である。また大腿部の受け部のベルト状体に関しては滑りにくい布製のベルトが好ましいが、これに付いても素材を自由に選択することが可能である。また脚部に関しては、折り畳み式とする場合には金属製のものがベターであり着脱式とする場合にはプラスティック押し出し成型に成る角や丸のパイプが利用出来るが、これ等に関しても任意選択が可能である。なお前記テーブル部のデザインも特に限定されない。
【手続補正７】
【補正対象書類名】明細書
【補正対象項目名】００３２
【補正方法】変更
【補正の内容】
【００３２】  第５実施形態
この実施形態の簡易テーブルは極めてシンプルな構成である。木製のテーブル板１２の裏面の左右２ヵ所に幅広の脚部２５，２５を取り付け、この脚部２５間に張り布３１を掛け渡して成るものである（図７）。
【手続補正８】
【補正対象書類名】明細書
【補正対象項目名】００３３
【補正方法】変更
【補正の内容】
【００３３】  この張り布３１は柔軟に変形可能であり大腿部の両側部及び上面部に沿った形状に変形して張られる。また大腿部の傾斜を吸収するように変形することも可能である。従って前記テーブル板１２を略水平姿勢に保たせることが出来るのである。この実施形態の張り布３１のように、１ヵ所だけにしか設けられておらず、且つ長さの調節機構が設けられていなくとも、ある程度所期の目的を達成することが可能である。
【手続補正９】
【補正対象書類名】明細書
【補正対象項目名】００３６
【補正方法】変更
【補正の内容】
【００３６】
【発明の効果】
以上この発明は、テーブル部と、その向かって左右両側に設けた脚部と、この左右両側の脚部間に掛け渡した大腿部の受け部とから成り、この大腿部の受け部がベルト状体であることを特徴とする、大腿部の上に載せる簡易テーブルとしたものである。この結果テーブル部に付いてほぼ水平な面を得ることが出来るように成った。
【手続補正１０】
【補正対象書類名】明細書
【補正対象項目名】００３７
【補正方法】変更
【補正の内容】
【００３７】  なお、前記脚部がテーブル部の前後方向に２対設けられており、その各々に前記ベルト状体が掛け渡されており、その内の少なくとも一側のベルト状体に付いて長さの調節機構が設けられているものとすることが出来る。この結果ベルト状体の調節をうまくすることによって、テーブル部に水平姿勢や希望の傾斜姿勢を取らせることが出来るように成る。
【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】
画像ボリューム内の撮像域（５０）を最適化するためのＭＲイメージング法であって、
ａ）最適な撮像域（５０）を決定するステップと、
ｂ）最適化した撮像域（５０）を用いて画像を収集するステップと、
ｃ）撮像域一貫のデータ組において画像を再構成するステップと、を含むと共に、
画像分解能を最大化しかつエイリアシング・アーチファクトを排除していることを特徴とするＭＲイメージング法。
【請求項２】
前記最適な撮像域（５０）が投影事前スキャン法の使用によって決定されている、請求項１に記載の方法。
【請求項３】
磁気共鳴（ＭＲ）イメージング・システムで使用されている、画像ボリューム内の撮像域（ＦＯＶ）（５０）を最適化するための方法であって、
ａ）投影事前スキャン法を使用して最適なＦＯＶ（５０）を計測するステップと、
ｂ）最適化したＦＯＶ（５０）を用いて画像を収集するステップと、
ｃ）ＦＯＶ一貫のデータ組において画像を再構成するステップと、を含むと共に、
画像分解能を最大化しかつエイリアシング・アーチファクトを排除していることを特徴とする方法。
【請求項４】
前記ＦＯＶ計測のステップが、論理ｘ軸及びｙ軸（１２、１４）に沿って投影を収集する目的のために画像ボリュームの各スライス（５０）を励起する追加ステップ（１０）と、微小先端角励起を利用する追加ステップと、を含んでいる、請求項３に記載の方法。
【請求項５】
患者の寸法にマッチングさせ、これによって分解能を最大化しかつエイリアシング・アーチファクトを排除するように撮像域（ＦＯＶ）（５０）を最適化するためのＭＲイメージング法であって、
ａ）投影事前スキャン法を使用して最適なＦＯＶ（５０）を計測するステップと、
ｂ）最適化したＦＯＶ（５０）を用いて画像を収集するステップと、
ｃ）ＦＯＶ一貫のデータ組において画像を再構成するステップと、
を含むＭＲイメージング法。
【請求項６】
前記ＦＯＶ計測のステップが、論理ｘ軸及びｙ軸（１２、１４）に沿って投影を収集する目的のために画像ボリュームの各スライス（５０）を励起する追加ステップ（１０）と、微小先端角励起を利用する追加ステップと、を含んでいる、請求項５に記載の方法。
【請求項７】
ＭＲイメージングにおける３次元収集で使用するために画像ボリューム内の撮像域（５０）を最適化する方法であって、
ａ）投影事前スキャン法を使用して最適な撮像域（５０）を計測するステップと、
ｂ）最適化した撮像域（５０）を用いて画像を収集するステップと、
ｃ）撮像域一貫のデータ組において画像を再構成するステップと、を含むと共に、
１スラブあたり投影対を１つだけ計測しかつスラブ全体を単一の最適化撮像域（５０）によって収集することを特徴とする方法。
【請求項８】
前記撮像収集のステップが、対象（３０、３２、３４）の中心をＦＯＶ（５０）の中心に位置させるように復調周波数及び位相エンコード位相ロールを調整する追加ステップと、周波数及び位相エンコード傾斜パルスの振幅を所望のＦＯＶ（５０）が生成されるようにスケール調整する追加ステップと、を含んでいる、請求項７に記載の方法。
【請求項９】
ＭＲイメージングにおける移動寝台式収集で使用するために画像ボリューム内の撮像域（５０）を最適化する方法であって、
ａ）投影事前スキャン法を使用して最適な撮像域（５０）を計測するステップと、
ｂ）最適化した撮像域（５０）を用いて画像を収集するステップと、
ｃ）撮像域一貫のデータ組において画像を再構成するステップと、を含むと共に、
前記画像ボリュームは投影事前スキャンの間かつ次いで再度撮像の間にスキャナを通るように移動することを特徴とする方法。
【請求項１０】
前記撮像収集のステップが、対象（３０、３２、３４）の中心をＦＯＶ（５０）の中心に位置させるように復調周波数及び位相エンコード位相ロールを調整する追加ステップと、周波数及び位相エンコード傾斜パルスの振幅を所望のＦＯＶ（５０）が生成されるようにスケール調整する追加ステップと、を含んでいる、請求項９に記載の方法。
【手続補正２】
【補正対象書類名】明細書
【補正対象項目名】０００４
【補正方法】変更
【補正の内容】
【０００４】
本明細書に提示した方法は、最適なＦＯＶのスライス単位での決定、この最適ＦＯＶを用いたデータの収集、及び撮像域一貫のデータ組に対する画像の再構成を効率よく行わせるという課題に対処している。
【特許文献１】特開平１１−０１９０６５号公報
【手続補正書】
【提出日】平成18年5月29日(2006.5.29)
【手続補正１】
【補正対象書類名】明細書
【補正対象項目名】０００６
【補正方法】変更
【補正の内容】
【０００６】
本発明は、延ばされて連続的に移動するフィラメントに、粘性コーティング材の薄膜を付着させるために使用可能な装置および方法を提供し、それによってフィラメントは連続動作で、あざなわれ（ケーブル化され）、コーティングされ、巻き取られることが可能である。
【手続補正２】
【補正対象書類名】明細書
【補正対象項目名】００２１
【補正方法】変更
【補正の内容】
【００２１】
本発明の他の態様では、あざない装置（cabling device）はコーティング装置に連動可能に付属している。
【手続補正３】
【補正対象書類名】明細書
【補正対象項目名】００３３
【補正方法】変更
【補正の内容】
【００３３】
また、コーティング装置が有機フィラメント製造プラントに配置されている場合には、フィラメント繰り出し装置１０を省いてもよく、フィラメント２をコーティング工程の直前に形成してもよい。いずれにしても、従来の形成工程、捻り工程、およびあざない工程（cabling operations）は、繰り出し装置１０に追加して、または繰り出し装置に代えて用いることができる。
【手続補正４】
【補正対象書類名】明細書
【補正対象項目名】００７０
【補正方法】変更
【補正の内容】
【００７０】
本発明に従って処理可能なコード構造の数は膨大である。このようなコード構造の代表的な例は、２ｘ、３ｘ、４ｘ、５ｘ、６ｘ、７ｘ、８ｘ、１１ｘ、１２ｘ、２７ｘ、１＋２、１＋３、１＋４、１＋５、１＋６、１＋７、１＋８、１＋１４、１＋１５、１＋１６、１＋１７、１＋１８、１＋１９、１＋２０、１＋２６、２＋１、２＋２、２＋５、２＋６、２＋７、２＋８、２＋９、２＋１０、２／２、２／３、２／４、２／５、２／６、３＋１、３＋２、３＋３、３ｘ４、３＋６、３ｘ７、３＋９、３／９、３＋９＋１５、４＋３、４ｘ４、５／８／１４、７ｘ２、７ｘ３、７ｘ４、７ｘ７、７ｘ１２、７ｘ１９、５＋１、６＋１、７＋１、８＋１、１１＋１、１２＋１、２＋７＋１、１＋４＋１、１＋５＋１、１＋６＋１、１＋７＋１、１＋８＋１、１＋１４＋１，１＋１５＋１，１＋１６＋１、１＋１７＋１、１＋１８＋１、１＋１９＋１、１＋２０＋１、２＋２＋８、２＋６＋１、２＋７＋１、２＋８＋１、２＋９＋１、２＋１０＋１、２＋２＋８＋１、３＋９＋１５＋１、２７＋１、１＋２６＋１、７ｘ２＋１、３＋９＋１、３／９＋１、７ｘ１２＋１、および７ｘ１９＋１である。これらのコード構造において、フィラメントは、前もって形成されていても、ウエーブがつけられていても、またはひだがつけられていても（クリンプされていても）よい。好ましいコード構造は２ｘ、３ｘ、１＋５、１＋６、１＋１８、２＋７、３＋２、３＋３、および３／９＋１である。
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】
順に以下の段階
（１）（ｉ）剛いシートもしくはウェブ支持体、ならびに（ｉｉ）顔料及び結合剤を含む多孔質不透明インキ受容層を含み、該支持体の表面又は該不透明層の表面のいずれかが第１の組の印刷された情報を保有している２−層集合体を準備し、
（２）インキジェット印刷により該多孔質不透明インキ受容層上に、該第１の組と異なる第２の組の情報を印刷し、
（３）かくして得られる集合体を、コーティング、印刷、スプレー噴霧もしくは噴射によりＵＶ−硬化可能なラッカー組成物で全体的に、部分的に又はパターン通りに覆い、それにより該多孔質不透明インキ受容層においてラッカーが浸透するとこの層は実質的に透明になり、
（４）全体的ＵＶ露出により該ラッカー組成物を硬化させ、それにより該支持体と該インキ受容層の間の接着及び該インキ受容層の凝集強さを向上させること
を含む情報の不正変更防止担体の製造法。
【請求項２】
順に以下の段階
（１'）（ｉ）剛いシートもしくはウェブ支持体、ならびに（ｉｉ）顔料及び結合剤を含む多孔質不透明インキ受容層を含む２−層集合体を準備し、
（２'）インキジェット印刷により該多孔質不透明インキ受容層上に第１の型の情報を印刷し、
（３'）かくして得られる集合体を、コーティング、印刷、スプレー噴霧もしくは噴射によりＵＶ−硬化可能なラッカー組成物で、あらかじめ決められたパターンにおいて覆い、それにより該多孔質不透明インキ受容層においてラッカーが浸透するとこの層はパターン通りに実質的に透明になり、
（４'）全体的ＵＶ露出により該ラッカー組成物を硬化させ、それにより該支持体と該インキ受容層の間の接着及び該インキ受容層の凝集強さをパターン通りに向上させること
を含む情報の不正変更防止担体の製造法。
【手続補正書】
【提出日】平成18年3月6日(2006.3.6)
【手続補正１】
【補正対象書類名】明細書
【補正対象項目名】請求項１
【補正方法】変更
【補正の内容】
【請求項１】  一端が塞がれて底部をなし他端が開口部をなすプラスチック製の管容器と、
該開口部を塞ぐプラスチック製のキャップとを備え、
該開口部近傍位置の外周は螺子の形成された雄ねじ部を有し、
該キャップは、円盤部と、該円盤部の一方の面の周囲から該円盤部の軸方向に延出する環状部とからなり、該環状部の内周は螺子が形成されて該雄ねじ部に螺合する雌ねじ部を有し、
該管容器内に液体試料が注入され、該雄ねじ部が該雌ねじ部に螺合することにより該開口部が該キャップによって塞がれた状態で、遠心分離機のアングルロータに形成された収容穴に挿入されて該液体試料の遠心分離を行うための遠心分離機用培養遠心管において、
該円盤部の該一方の面の側であって該円盤部と該環状部との境界位置には、該開口部が嵌合する環状溝が、該環状部の軸方向に向かって形成され、
該環状溝の開口端は該円盤部の該一方の面に一致し、該環状溝の最深部は該円盤部の該一方の面に対する他方の面に一致し、該他方の面は該開口部が該環状溝に嵌合したときの該開口部の開口端に略一致し、該キャップは、該環状溝の内周面と該環状溝に嵌合した該開口部との密着を確保するのに十分な剛性を備えることを特徴とする遠心分離機用培養遠心管。
【手続補正２】
【補正対象書類名】明細書
【補正対象項目名】００２１
【補正方法】変更
【補正の内容】
【００２１】
【課題を解決するための手段】
上記目的を達成するために、本発明は、一端が塞がれて底部をなし他端が開口部をなすプラスチック製の管容器と、該開口部を塞ぐプラスチック製のキャップとを備え、該開口部近傍位置の外周は螺子が形成された雄ねじ部を有し、該キャップは、円盤部と、該円盤部の一方の面の周囲から該円盤部の軸方向に延出する環状部とからなり、該環状部の内周は螺子が形成されて該雄ねじ部に螺合する雌ねじ部を有し、該管容器内に液体試料が注入され、該雄ねじ部が該雌ねじ部に螺合することにより該開口部が該キャップによって塞がれた状態で、遠心分離機のアングルロータに形成された収容穴に挿入されて該液体試料の遠心分離を行うための遠心分離機用培養遠心管において、該円盤部の該一方の面の側であって該円盤部と該環状部との境界位置には、該開口部が嵌合する環状溝が、該環状部の軸方向に向かって形成され、該環状溝の開口端は該円盤部の該一方の面に一致し、該環状溝の最深部は該円盤部の該一方の面に対する他方の面に一致し、該他方の面は該開口部が該環状溝に嵌合したときの該開口部の開口端に略一致し、該キャップは、該環状溝の内周面と該環状溝に嵌合した該開口部との密着を確保するのに十分な剛性を備える遠心分離機用培養遠心管を提供している。